(57)【要約】  伸縮性の低い身生地を使用しても、脚を上げたり広げる動作時に、お尻や股間、膝に引きつれが生じにくい運動用のパンツを提供することを課題とする。  伸縮性の低い身生地で形成されていても、脚を外側に上げた際にパンツ（１）の臀部が伸ばされることによって、臀部の下端から臀溝外側部分に向かう引きつれが生じるラインと、身生地の臀溝外側部分に配置した、脇線（２）に対して後方に傾斜する切れ目（３）とが直交するので、切れ目（３）によって引きつれが軽減され、着用者の運動の妨げや不快感が軽減される。
2014125609.tif 000002
【特許請求の範囲】
【請求項１】
胴体の下部から脚部を覆う身生地に、脇線に対して後方に傾斜する切れ目を臀溝外側部分に配置した運動用パンツ。
【請求項２】
脚部前面の膝上付近の身生地に、大腿部の前面から膝の内側にかけて切れ目を配置した請求項１記載の運動用パンツ。
【請求項３】
脚部前面の膝上付近の身生地に、大腿部の前面から膝の外側にかけて切れ目を配置した請求項２記載の運動用パンツ。
【請求項４】
前記切れ目を覆うように、少なくとも切れ目の長さ方向に対して直交する方向に伸縮性の高い布を縫合している請求項１〜３のいずれかに記載の運動用パンツ。
【請求項５】
前記切れ目を覆うように、少なくとも切れ目の長さ方向に対して直交する方向にゆとりをもつように布を縫合している請求項１〜３のいずれかに記載の運動用パンツ。
【発明の詳細な説明】
【技術分野】
【０００１】
この発明は、ランニング用パンツ、フィットネスパンツ等の運動用パンツに関するものである。
【背景技術】
【０００２】
脚を上げたり広げる動作は、様々なスポーツやスポーツ前後の体操時に行なわれる。【０００３】
一般的な生地のトレーニング用パンツは、通常、ゆとりがあるが、伸縮性の低い生地を使用していることが多く、準備体操などで、股関節や膝関節を屈曲させると、お尻や股間、膝に引きつれが生じて動きが阻害されたり、不快感が生じたりする。この不快感や引きつれを小さくするためには、パンツを手で摘んでゆとりを持たせる動きをたびたび行なうといった不具合があった。【０００４】
このため、スパッツやパンツで、局所的に伸縮性の高い生地を用いて、動きやすさを向上させたものがある（特許文献１、特許文献２）。【０００５】
特許文献１に開示された胴体下部から大腿部を被う陸上競技用スパッツは、縦横方向に伸縮する素材からなり、足の運動動作を妨げないことを目的にして、図１７Ａ，図１７Ｂに示すように、正面の鼠径部から側面の腸骨稜を通り背面の臀部下方部に至る領域２１を、その他の部分よりも伸縮性が大きい素材によって形成している。【０００６】
また、図１８に示すように、動作時の身体への追従性に優れ、身体への過度の負荷がかからないように、臀部に相当する部分２２および大転子に相当する部分２３に伸縮性素材からなる生地を設け、大転子に相当する部分２３に設ける生地が縦方向に対してバイアスの地の目となるように設けた軽スポーツ用パンツが特許文献２に開示されている。【０００７】
また、動きやすさを目的とはしていないが、大腿前面に斜めの開口を設けて筋肉の温度を適当に保つズボンが特許文献３に開示されている。この特許文献３のズボンは、図１９に示すように、筋肉を適温に保つため、ズボンの前側の大腿部前面に対応する箇所に斜めの開口２４を設け、その開口２４には、開閉するためのファスナーが設けられるとともに、通気性を有する布地が取り付けられている。
【先行技術文献】
【特許文献】
【０００８】
【特許文献１】特開２００３−２９３２０３号公報
【特許文献２】特開２０１２−１６７３７９号公報
【特許文献３】特開２０１２−９７３８７号公報
【発明の概要】
【発明が解決しようとする課題】
【０００９】
ところで、上記特許文献１に開示された陸上競技用スパッツは、身生地よりも伸縮性の高い生地を配することで動きやすさを向上させているが、股間の目立つ部分に伸縮性の高い生地を設けているため、見た目が非常に劣るという問題がある。【００１０】
また、上記特許文献２に開示された軽スポーツ用パンツは、伸縮性の高い生地が臀部から大転子部の広い範囲に設けられているので、動作時に身体へ追従する効果は期待できる。しかしながら、商品にするにあたって品質上問題のない伸縮性の高い生地は、概して、比較的高価であるため、広い範囲に配置するとコストが高くなるという問題がある。また、臀部は皮膚の伸び縮みが大きく、その部分に伸縮性の高い生地を配すると、形状維持ができずに弛みが生じて、外観が損なわれてしまうという問題がある。特に、お尻や下着のラインが出るため、女性は嫌がる傾向にある。【００１１】
また、特許文献３のズボンは、大腿部前面に開口２４を設けているが、この開口２４は、通気を目的としているため、特許文献３のズボンに設けられた開口によって、臀部の引きつれを減らすことはできない。【００１２】
以上のように、身生地が伸縮性の高い生地であれば、引きつれは小さく、運動の妨げにもならず、着用者が不快に思うこともないが、身体や下着のラインが出るため着用に抵抗感を覚える人が少なくない。また、伸縮性の高い生地は、比較的高価であり、使用範囲が広いとコストが上がるという問題もある。【００１３】
そこで、この発明は、伸縮性の低い身生地を使用しても、脚を上げたり広げる動作時に、お尻や股間、膝に引きつれが生じにくい運動用のパンツを提供しようとするものである。
【課題を解決するための手段】
【００１４】
この発明は、上記の課題を解決するために、胴体の下部から脚部を覆う運動用パンツの身生地の臀溝外側部分に、脇線に対して後方に傾斜する切れ目を設けたことを特徴とする。【００１５】
また、脚部前面の膝上付近の身生地に、大腿部の前面から膝の内側にかけて切れ目を追加してもよい。【００１６】
また、脚部前面の膝上付近の身生地に、大腿部の前面から膝の外側にかけて切れ目をさらに追加してもよい。【００１７】
前記のように、身生地に切れ目を設けると、切れ目の間から肌が見えたり、異物が混入したりするおそれがある。このため、切れ目を覆うように別の生地を縫合したり、切れ目部分で身生地が重なるようにすると、切れ目の間から肌が見えたり、異物が混入したりすることを防止することができる。切れ目を覆うように別の生地を縫合する場合には、切れ目の開きを阻害しないように、その生地にゆとりをもたせたり、伸縮性の高い生地を配置することが望ましい。
【発明の効果】
【００１８】
この発明の運動用パンツは、伸縮性の低い身生地で形成されていても、脚を外側に上げた際にパンツの臀部が伸ばされることによって、臀部の下端から臀溝外側部分に向かう引きつれが生じるラインと、身生地の臀溝外側部分に配置した、脇線に対して後方に傾斜する切れ目とがほぼ直交するので、切れ目によって引きつれが軽減され、着用者の運動の妨げや不快感が軽減される。【００１９】
また、切れ目によって引きつれを軽減できるので、股間やお尻の目立つ部分に高伸縮性の生地を配置する必要がなく、パンツの外観を著しく損なうこともない。
【図面の簡単な説明】
【００２０】
【図１】この発明の実施形態１の運動用パンツの側面図である。
【図２】この発明の実施形態１の運動用パンツの正面図である。
【図３】この発明の実施形態１の運動用パンツを着用して脚を外側に上げた場合における臀部の下端に生じる引きつれ方向と切れ目との関係を示す背面図である。
【図４】この発明の実施形態１の運動用パンツを着用して脚を外側に上げた場合における支持脚の臀部下端から上げ脚の内腿に沿って生じる引きつれ方向と切れ目との関係を示す背面図である。
【図５】この発明の実施形態２の運動用パンツの側面図である。
【図６】この発明の実施形態２の運動用パンツの正面図である。
【図７】この発明の実施形態２の運動用パンツを着用して脚を外側に上げた場合における支持脚の臀部下端から上げ脚の内腿を結ぶ引きつれ方向と切れ目との関係を示す正面図である。
【図８】この発明の実施形態２の運動用パンツを着用して片脚を前に上げた場合における上げ脚の臀部中央から内腿に沿って生じる引きつれ方向と切れ目との関係を示す正面図である。
【図９】この発明の実施形態３の運動用パンツの側面図である。
【図１０】この発明の実施形態３の運動用パンツの正面図である。
【図１１】この発明の実施形態３の運動用パンツを着用して片脚を前に上げた場合における上げ脚の臀部外側から大腿外側に沿って生じる引きつれ方向と切れ目との関係を示す正面図である。
【図１２】従来例の運動用パンツの側面図である。
【図１３】従来例の運動用パンツの正面図である。
【図１４】参考例の運動用パンツの側面図である。
【図１５】参考例の運動用パンツの正面図である。
【図１６】切れ目の効果確認実験の結果を示すグラフである。
【図１７Ａ】従来例の部分正面図である。
【図１７Ｂ】従来例の部分側面図である。
【図１８】従来例の側面図である。
【図１９】従来例の正面図である。
【発明を実施するための形態】
【００２１】
以下、この発明に係る運動用パンツの実施形態を説明する。なお、以下の実施形態において、同一の構成部分または同様の構成部分には、同一の符号を付し、説明を適宜省略する。
【００２２】
図１〜図４に示す実施形態１の運動用パンツ１は、身生地の臀溝外側部分に、脇線２に対して後方に傾斜する切れ目３を設けている。より具体的には、切れ目３を、臀溝の外側延長線と人体脇線との交点がほぼ中点となり、大転子がほぼ上端となるような大きさ（長さ）で、下端が上端よりも大腿の中央（前方）にあるように設定する。また、切れ目３の幅は、上記の大きさ（長さ）と同等か、またはそれよりも小さければよい。また、切れ目３の形状は、幅方向に開けば特に限定されず、例えば、線状、正方形、長方形、長さ方向の中央部分が両端よりも適宜幅広になっているもの、長さ方向の中央部分が両端よりも適宜幅狭になっているもの、長さ方向の一端もしくは両端が適宜狭く、あるいは広くなっているものでもよい。
【００２３】
実施形態１の運動用パンツ１の切れ目３は、脇線２に対して後方にほぼ１５度の角度で傾斜し、その長さが１６ｃｍである。この実施形態１における１５度という角度は、後述する「引きつれラインＡと切れ目３とがほぼ直交する角度であり、着用者によって変わる角度である。なお、引きつれラインＡと切れ目３とがほぼ直交とは、厳密な意味で「直交」でなくても、切れ目３を引きつれラインＡの方向に引っ張ったときに切れ目３が幅方向に広がるような角度を含む概念で使用する。
【００２４】
実施形態１の運動用パンツ１では、切れ目３の裏面に伸縮性の高い長方形の布４を縫製している。長方形の布４の大きさは、長さ方向に２０ｃｍ、幅方向に１２ｃｍである。布４の長さと幅は、切れ目３と同等か、またはそれよりも大きければよい。また、布４の形状は、特に限定されないが、縫製上、多角形の角が丸みを帯びた形状または楕円形状が望ましい。布４の材料としては、例えば、織物、編物あるいは不織布等を使用でき、その中でも伸縮性の高い生地を使用することが好ましい。布４は、切れ目３の表面に縫製してもよい。
【００２５】
図３に示すように、伸縮性の低い身生地で形成されたパンツ１を着用して脚を外側に上げると、特に、パンツ１の臀部が伸ばされ、臀部の下端から臀溝外側部分に向かう引きつれラインＡが生じ、この引きつれラインＡが着用者の運動の妨げや不快感の原因となる。
【００２６】
この引きつれラインＡに対して、実施形態１の運動用パンツ１は、脇線２に対して後方に傾斜する切れ目３を身生地の臀溝外側部分に配置しているので、図３に示すように、引きつれラインＡと切れ目３とがほぼ直交し、切れ目３によって引きつれラインＡの引きつれが軽減される。切れ目３を身生地に設けることで、引きつれを軽減でき、股間やお尻の目立つ部分に高伸縮性の生地を配置する必要がないので、パンツの外観を著しく損なうこともない。
【００２７】
身生地の臀溝外側部分に配置した脇線２に対して後方に傾斜する切れ目３は、内腿の引きつれを軽減する効果もある。即ち、切れ目３は、図４に示すように、片脚を外側に上げたときに生じる支持脚の臀部下端から上げ脚の内腿を結ぶ引きつれラインＢの端部にもほぼ直交するので、片脚を外側に上げたときに生じる内腿の引きつれも軽減することができる。
【００２８】
切れ目３の裏面に縫製する布４は、伸縮性の高い生地を使用するが、少なくとも切れ目３の長さ方向に対して直交する方向に伸縮性の高い生地であればよい。
【００２９】
次に、図５〜図８に示す実施形態２の運動用パンツ１は、身生地の臀溝外側部分に、脇線２に対して後方に傾斜する切れ目３を設け、さらに、脚部前面の膝上付近の身生地に、大腿部の前面から膝の内側にかけて切れ目５を配置している。実施形態２の運動用パンツ１の切れ目５は、脇線２に対してほぼ５０度の角度で傾斜し、その長さは１６ｃｍである。切れ目５の大きさ（長さ）は、切れ目３とほぼ同等である。切れ目５の幅および形状も、切れ目３と同様である。また、この実施形態２における５０度という角度は、後述する引きつれラインＢ・Ｃと切れ目５とがほぼ直交するように設定した角度であり、着用者によって変わる角度である。なお、引きつれラインＢ・Ｃと切れ目５とがほぼ直交とは、厳密な意味で「直交」でなくても、切れ目５を引きつれラインＢ・Ｃの方向に引っ張ったときに切れ目５が幅方向に広がるような角度を含む概念で使用する。この切れ目５の裏面にも、伸縮性の高い長方形の布４を縫製している。長方形の布４の大きさは、長さ方向に２０ｃｍ、幅方向に１２ｃｍである。実施形態２における布４の長さと幅は、切れ目５と同等か、またはそれよりも大きければよい。
【００３０】
実施形態２の運動用パンツ１の切れ目５は、図７に示すように、片脚を外側に上げたときに生じる支持脚の臀部下端から上げ脚の内腿を結ぶ引きつれラインＢの下端にほぼ直交するので、引きつれラインＢの引きつれを軽減することができる。
また、切れ目５は、図８に示すように、片脚を前に上げた時に生じる上げ脚の臀部中央から内腿を結ぶ引きつれラインＣにほぼ直交するため、引きつれラインＣの引きつれを軽減することができる。
【００３１】
次に、図９〜図１１に示す実施形態３の運動用パンツ１は、膝の内側の切れ目５に加え、膝の外側にも切れ目６を配置している。切れ目６の傾斜は脇線２に対してほぼ６０度であり、長さは１０ｃｍである。切れ目６の大きさ（長さ）は、切れ目５よりも小さい。切れ目６の幅および形状は、切れ目３と同様である。また、この実施形態３における６０度という角度は、後述する引きつれラインＤと切れ目６とがほぼ直交する角度であり、着用者によって変わる角度である。なお、引きつれラインＤと切れ目６とがほぼ直交とは、厳密な意味で「直交」でなくても、切れ目６を引きつれラインＤの方向に引っ張ったときに切れ目６が幅方向に広がるような角度を含む概念で使用する。切れ目６の裏面にも、伸縮性の高い長方形の布４を縫製している。長方形の布４の大きさは、長さ方向に１４ｃｍ、幅方向に８ｃｍである。実施形態３における布４の長さと幅は、切れ目６と同等か、またはそれよりも大きければよい。
【００３２】
実施形態３の運動用パンツ１の切れ目６は、図１１に示すように、片脚を前に上げたときに生じる、上げ脚の臀部外側から大腿外側を結ぶ引きつれラインＤに直交し、腿の引きつれを軽減できる。
【００３３】
<切れ目の効果確認実験>
臀溝外側部分に、脇線２に対して後方に傾斜する切れ目３を配置した図１〜図４に示す実施形態１のパンツ１と、切れ目を設けていない図１２及び図１３に示す従来例のパンツ１０と、図１４及び図１５に示す大腿部の前面から膝の内側にかけての切れ目５、大腿部の前面から膝の外側にかけての切れ目６、膝の下の切れ目７を配置した参考例のパンツ１１を寸法が同じＬサイズの大きさに縫製し、このパンツ１、パンツ１０、パンツ１１を被検者の男性８名に着用させ、股関節と膝関節を屈曲して脚を上げる動作と、脚を左右に広げて腰を落とすしゃがみこみ動作を行なって、引きつれ感を評価する実験を行った。
【００３４】
引きつれ感を評価する部位は、膝部、臀部、股間とし、「全くつっぱらない」から「非常につっぱる」までを１０ｃｍの線にして、その線上で感じた位置にマークを付けて評価した。
【００３５】
引きつれ感を評価する場合、前に着用したパンツの評価を見直しても良いこととし、従来例のパンツ１０を着用した後、実施形態１のパンツ１、参考例のパンツ１１をランダムに着用し、そのすぐ後につっぱり感を評価した。引きつれ感の評価を数値化し、被検者とパンツの２要因の分散分析を行い、パンツの要因に有意差があった場合、最小有意差法でどのパンツ間に差があるのかを調べた。有意水準（ｐ）は５％（ｐ<０．０５）とした。
【００３６】
実験結果は、図１６に示す通り、膝部の引きつれ感は、実施形態１のパンツ１、参考例のパンツ１１が、切れ目のない従来例のパンツ１０よりも小さかった。臀部の引きつれ感は、実施形態１のパンツ１が、参考例のパンツ１１、従来例のパンツ１０よりも小さかった。股間の引きつれ感は、実施形態１のパンツ１、参考例のパンツ１１が、切れ目のない従来例のパンツ１０よりも小さかった。
【００３７】
この実験結果から、臀溝外側に脇線２に対して後方に傾斜する切れ目３を配置することで、膝部、臀部、股間の引きつれを軽減することができ、膝付近に切れ目を設けると、膝部、股間の引きつれを軽減できるということを確認できた。
【符号の説明】
【００３８】
１  運動用パンツ
２  脇線
３  切れ目
４  布
５  切れ目
６  切れ目
７  切れ目
【図１】
2014125609.tif 000003
【図２】
2014125609.tif 000004
【図３】
2014125609.tif 000005
【図４】
2014125609.tif 000006
【図５】
2014125609.tif 000007
【図６】
2014125609.tif 000008
【図７】
2014125609.tif 000009
【図８】
2014125609.tif 000010
【図９】
2014125609.tif 000011
【図１０】
2014125609.tif 000012
【図１１】
2014125609.tif 000013
【図１２】
2014125609.tif 000014
【図１３】
2014125609.tif 000015
【図１４】
2014125609.tif 000016
【図１５】
2014125609.tif 000017
【図１６】
2014125609.tif 000018
【図１７Ａ】
2014125609.tif 000019
【図１７Ｂ】
2014125609.tif 000020
【図１８】
2014125609.tif 000021
【図１９】
2014125609.tif 000022
【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
胴体の下部から脚部を覆う身生地に、脇線に対して後方に傾斜する切れ目を臀溝外側部分に配置し、前記切れ目は、臀溝の外側延長線と人体脇線との交点がほぼ中点となり、大転子がほぼ上端となるような長さで、下端が上端よりも大腿の前方にあるように設定されている運動用パンツ。
【請求項２】
脚部前面の膝上付近の身生地に、大腿部の前面から膝の内側にかけて切れ目を配置した請求項１記載の運動用パンツ。
【請求項３】
脚部前面の膝上付近の身生地に、大腿部の前面から膝の外側にかけて切れ目を配置した請求項２記載の運動用パンツ。
【請求項４】
前記切れ目を覆うように、少なくとも切れ目の長さ方向に対して直交する方向に伸縮性の高い布を縫合している請求項１〜３のいずれかに記載の運動用パンツ。
【請求項５】
前記切れ目を覆うように、少なくとも切れ目の長さ方向に対して直交する方向にゆとりをもつように布を縫合している請求項１〜３のいずれかに記載の運動用パンツ。
【手続補正２】
【補正対象書類名】明細書
【補正対象項目名】０００３
【補正方法】変更
【補正の内容】
【０００３】
［００１２］
以上のように、身生地が伸縮性の高い生地であれば、引きつれは小さく、運動の妨げにもならず、着用者が不快に思うこともないが、身体や下着のラインが出るため着用に抵抗感を覚える人が少なくない。また、伸縮性の高い生地は、比較的高価であり、使用範囲が広いとコストが上がるという問題もある。
［００１３］
そこで、この発明は、伸縮性の低い身生地を使用しても、脚を上げたり広げる動作時に、お尻や股間、膝に引きつれが生じにくく、しかもコストが上がらず美観を損なわない運動用のパンツを提供しようとするものである。
課題を解決するための手段
［００１４］
この発明は、上記の課題を解決するために、胴体の下部から脚部を覆う運動用パンツの身生地の臀溝外側部分に、脇線に対して後方に傾斜する切れ目を設けたことを特徴とする。
［００１５］
また、脚部前面の膝上付近の身生地に、大腿部の前面から膝の内側にかけて切れ目を追加してもよい。
［００１６］
また、脚部前面の膝上付近の身生地に、大腿部の前面から膝の外側にかけて切れ目をさらに追加してもよい。
［００１７］
前記のように、身生地に切れ目を設けると、切れ目の間から肌が見えたり、異物が混入したりするおそれがある。このため、切れ目を覆うように別の生地を縫合したり、切れ目部分で身生地が重なるようにすると、切れ目の間から肌が見えたり、異物が混入したりすることを防止することができる。切れ目を覆うように別の生地を縫合する場合には、切れ目の開きを阻害しないように、その生地にゆとりをもたせたり、伸縮性の高い生地を配置することが望ましい。
発明の効果
［００１８］
この発明の運動用パンツは、伸縮性の低い身生地で形成されていても、脚を外側に上げた際にパンツの臀部が伸ばされることによって、臀部の下端から臀溝外側部分に向かう引きつれが生じるラインと、身生地の臀溝外側部分に配置した、脇線に対して後方に傾斜する切れ目とがほぼ直交するので、切
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
胴体の下部から脚部を覆う身生地に、脇線に対して交差し、後方から前方に向かって低く傾斜する切れ目を臀溝外側部分に配置した運動用パンツ。
【請求項２】
脚部前面の膝上付近の身生地に、大腿部の前面から膝の内側にかけて切れ目を配置した請求項１記載の運動用パンツ。
【請求項３】
脚部前面の膝上付近の身生地に、大腿部の前面から膝の外側にかけて切れ目を配置した請求項２記載の運動用パンツ。
【請求項４】
前記切れ目を覆うように、少なくとも切れ目の長さ方向に対して直交する方向に伸縮性の高い布を縫合している請求項１〜３のいずれかに記載の運動用パンツ。
【請求項５】
前記切れ目を覆うように、少なくとも切れ目の長さ方向に対して直交する方向にゆとりをもつように布を縫合している請求項１〜３のいずれかに記載の運動用パンツ。
【国際調査報告】
2014125609.tif 000023
2014125609.tif 000024
2014125609.tif 000025
2014125609.tif 000026